(57)【要約】【課題】  台紙のみを用いて縦長容器に収納された商品が外から見える展示用台紙及び当該商品を展示用台紙に固定された展示用包装体を提供することにある。【解決手段】  折り畳まれたシートを組み立ててなり、背面片と、背面片の上部に吊下げ部、下部に受け部、および吊下げ部と受け部の間に保持部が形成される縦長容器に収納された商品を展示する際に使用される展示用台紙であって、受け部は、底片、前片、上片によりコの字状に形成され、上片に嵌入部が形成されており、保持部は、背面片より外方に突出させてなり、保持部上片と保持部下片に縦長容器の上部を保持する挿入穴が形成されていることを特徴とする展示用台紙である。【選択図】        図３
2015229511.tif 000002
【特許請求の範囲】
【請求項１】
折り畳まれたシートを組み立ててなり、背面片と、背面片の上部に展示用フックに吊下げられる吊下げ部、背面片の下部に縦長容器に収納された商品を立てて商品の縦長容器下部を受ける受け部、および吊下げ部と受け部の間に商品の縦長容器上部を保持する保持部を備える縦長容器に収納された商品を展示する際に使用される展示用台紙であって、
前記受け部は、底片、前片、上片によりコの字状に形成され、前記背面片より外方に突出されてなり、前記上片に前記縦長容器の下端が嵌入される嵌入部が形成されており、
前記保持部は、保持部上片と保持部下片を折り曲げて重合し前記背面片より外方に突出させてなり、前記保持部上片と前記保持部下片に前記縦長容器の上部を保持する挿入穴が形成されている、
ことを特徴とする展示用台紙。
【請求項２】
前記シートが、小片、保持部下片、保持部上片、上表背面片、裏背面片、底片、前片、上片および下表背面片が折線を介して連接された一枚のシートからなり、
前記折線で各片を折り返し、前記裏背面片に連接された一方の側は、前記裏背面片に前記上表背面片を重ね前記吊下げ部を形成し、前記保持部上片と前記保持部下片を折線で折り曲げて重合し前記裏背面片および前記上表背面片より外方に突出させて前記保持部を形成し、前記小片を前記裏背面片に重ねてなり、
前記裏背面片に連接された他方の側は、前記底片、前記前片、前記上片を折線で折り曲げてコの字状の前記受け部を形成し、前記上片に連接された前記下表背面片を折線で折り曲げて前記裏背面片に重ね前記下表背面片の先端部が前記小片の上に重ねられてなり、
前記上表背面片および前記下表背面片が、前記裏背面片にそれぞれ貼着されていることを特徴とする請求項１記載の展示用台紙。
【請求項３】
前記保持部が、コの字状の前記受け部より外方に突出していることを特徴とする請求項１又は請求項２に記載の展示用台紙。
【請求項４】
前記裏背面片の下部に開口部が設けられていることを特徴とする請求項１乃至請求項３のいずれかに記載の展示用台紙。
【請求項５】
前記保持部と前記受け部の相互に対面する側の基部間の長さが、前記下表背面片の上下方向の長さと同じであることを特徴とする請求項２乃至請求項４のいずれかに記載の展示用台紙。
【請求項６】
請求項１乃至請求項５に記載の展示用台紙に縦長容器に収納された商品が保持され、接着テープにより縦長容器に収納された商品が展示用台紙に固定されていることを特徴とする展示用包装体。
【発明の詳細な説明】
【技術分野】
【０００１】
本発明は、縦長容器に収納された商品を展示する際に使用される展示用台紙及び当該商品が展示用台紙に固定された展示用包装体に関する。
【背景技術】
【０００２】
従来、装飾を施した台紙に商品が外から見えるように包装するものとして、真空成形等で熱成形した熱可塑性樹脂シートに商品を収容して開口部を台紙で被覆した、いわゆるブリスターパックや、商品を台紙の上に載置して加熱軟化した熱可塑性樹脂シートで商品と台紙を被覆した、いわゆるスキンパックが広く知られている（例えば、特許文献１参照）。
【０００３】
また、商品に熱収縮性熱可塑性樹脂フィルムを被せて熱収縮させることによりシュリンク包装したのち、厚紙等の基板に係止舌片や係止段部を設けてシュリンク包装された商品を係止段部に係合固定した商品展示用包装体も開示されている（例えば、特許文献２参照）。
【先行技術文献】
【特許文献】
【０００４】
【特許文献１】特開２００６−３４１８５８号公報
【特許文献２】特開平８−４０４５６号公報
【発明の概要】
【発明が解決しようとする課題】
【０００５】
上記ブリスターパックやスキンパックやシュリンク包装された包装体は台紙に熱接着された熱可塑性樹脂シートまたはフィルムを台紙から剥離する必要があり、商品を取り出すのに手間がかかるという欠点や、剥離する際、熱可塑性樹脂シートまたはフィルムが台紙に接着しているために台紙が層間剥離を起こし、熱可塑性樹脂シートまたはフィルムに層間剥離した台紙の一部が接着することとなり、台紙とプラスチックに分離することが困難であるという欠点や、たとえ台紙とプラスチックに剥離できたとしても紙とプラスチックに分別して廃棄しなければならず分別廃棄が面倒であるという欠点がある。
【０００６】
そこで本発明は、上記問題を解決すべくなされたものであり、その目的とするところは台紙のみを用いて縦長容器に収納された商品が外から見える展示用台紙及び当該商品が展示用台紙に固定された展示用包装体を提供することにある。
【課題を解決するための手段】
【０００７】
本発明は、上記課題を達成するために、請求項１に記載の本発明は、折り畳まれたシートを組み立ててなり、背面片と、背面片の上部に展示用フックに吊下げられる吊下げ部、背面片の下部に縦長容器に収納された商品を立てて商品の縦長容器下部を受ける受け部、および吊下げ部と受け部の間に商品の縦長容器上部を保持する保持部を備える縦長容器に収納された商品を展示する際に使用される展示用台紙であって、前記受け部は、底片、前片、上片によりコの字状に形成され、前記背面片より外方に突出されてなり、前記上片に前記縦長容器の下端が嵌入される嵌入部が形成されており、前記保持部は、保持部上片と保持部下片を折り曲げて重合し前記背面片より外方に突出させてなり、前記保持部上片と前記保持部下片に前記縦長容器の上部を保持する挿入穴が形成されている、ことを特徴とする展示用台紙である。
【０００８】
また、請求項２に記載の本発明は、請求項１に記載の展示用台紙において、前記シートが、小片、保持部下片、保持部上片、上表背面片、裏背面片、底片、前片、上片および下表背面片が折線を介して連接された一枚のシートからなり、前記折線で各片を折り返し、前記裏背面片に連接された一方の側は、前記裏背面片に前記上表背面片を重ね前記吊下げ部を形成し、前記保持部上片と前記保持部下片を折線で折り曲げて重合し前記裏背面片および前記上表背面片より外方に突出させて前記保持部を形成し、前記小片を前記裏背面片に重ねてなり、前記裏背面片に連接された他方の側は、前記底片、前記前片、前記上片を折線で折り曲げてコの字状の前記受け部を形成し、前記上片に連接された前記下表背面片を折線で折り曲げて前記裏背面片に重ね前記下表背面片の先端部が前記小片の上に重ねられてなり、前記上表背面片および前記下表背面片が、前記裏背面片にそれぞれ貼着されていることを特徴とするものである。
【０００９】
また、請求項３に記載の本発明は、請求項１又は請求項２に記載の展示用台紙において、前記保持部が、コの字状の前記受け部より外方に突出していることを特徴とするものである。
【００１０】
また、請求項４に記載の本発明は、請求項１乃至請求項３のいずれかに記載の展示用台紙において、前記裏背面片の下部に開口部が設けられていることを特徴とするものである。
【００１１】
また、請求項５に記載の本発明は、請求項２乃至請求項４のいずれかに記載の展示用台紙において、前記保持部と前記受け部の相互に対面する側の基部間の長さが、前記下表背面片の上下方向の長さと同じであることを特徴とするものである。
【００１２】
また、請求項６に記載の本発明は、請求項１乃至請求項５に記載の展示用台紙に縦長容器に収納された商品が保持され、接着テープにより縦長容器に収納された商品が展示用台紙に固定されていることを特徴とする展示用包装体である。
【発明の効果】
【００１３】
本発明の展示用台紙は、展示用台紙の組み立てするまでは折り畳むことができ、嵩張ることがないので段ボール箱等に効率よく収納でき、保管スペースが少なくてすみ、また、展示用台紙の組み立て及び組み立てた展示用台紙に商品をセットアップする場所に運ぶ際、輸送効率がよい。
また、吊下げ部を備えているので展示用フックに吊下げて展示することができるし、下部に底片、前片、上片によりコの字状に形成された受け部を備えているので受け部を展示台の上に置いて陳列することもでき、吊下げ性と自立性を兼ね備えているので商品が展示される環境に応じて自由に選択できる。
また、保持部は保持部上片と保持部下片を折り曲げて重合し外方に突出させた構成とすることにより、商品を殆ど遮ることがなく商品の露出度が大幅に向上するので消費者への訴求効果を高めることができる。
【００１４】
また、請求項３に記載の本発明の展示用台紙は保持部がコの字状の受け部より外方に突出している構成とすることにより、展示用台紙に前記商品がセットアップされた展示用包装体として展示台に隙間なく密着して多数陳列された状態であっても、展示用包装体が中抜きされても、保持部が下方に撓むので展示用包装体を引き上げて容易に取り出せる。
【００１５】
また、請求項４に記載の本発明の展示用台紙は裏背面片の下部に開口部が設けられているので縦長容器に収納された商品を接着テープにより開口部を介して当該商品と展示用台紙を固定することができ、当該商品の回転防止ができると共に当該商品のみが抜き取られるという盗難防止もできる。また、請求項５に記載の本発明の展示用台紙は、保持部と受け部の相互に対面する側の基部間の長さが、下表背面片の上下方向の長さと同じである構成とすることにより、保持部が固定される。
【図面の簡単な説明】
【００１６】
【図１】本発明に係る展示用台紙の一実施形態を示す展開図である。
【図２】本発明に係る展示用台紙の（イ）折り畳まれた状態の一例を示す側面図、（ロ）組み立てた状態の一例を示す組み立て図である。
【図３】本発明に係る展示用台紙に縦長容器に収納された商品が保持された展示用包装体の一実施形態を示す斜視図である。
【図４】本発明に係る展示用台紙に縦長容器に収納された商品が保持された展示用包装体の一実施形態を示す正面図、背面図、平面図、側面図である。
【図５】本発明に係る展示用台紙に縦長容器に収納された商品が保持された展示用包装体のその他の実施形態を示す斜視図である。
【発明を実施するための形態】
【００１７】
上記の本発明について、図面等を用いて以下に詳述する。
図１は本発明に係る展示用台紙の一実施形態を示す展開図、図２は本発明に係る展示用台紙の（イ）折り畳まれた状態の一例を示す側面図、（ロ）組み立てた状態の一例を示す組み立て図、図３は本発明に係る展示用台紙に縦長容器に収納された商品が保持された展示用包装体の一実施形態を示す斜視図、図４は本発明に係る展示用台紙に縦長容器に収納された商品が保持された展示用包装体の一実施形態を示す正面図、背面図、平面図、側面図、図５は本発明に係る展示用台紙に縦長容器に収納された商品が保持された展示用包装体のその他の実施形態を示す斜視図であり、図中の１は背面片、１１は裏背面片、１１ａは開口部、１２は表背面片、１３は上表背面片、１４は下表背面片、１５は小片、２ａ，２ｂ，２ｃ，２ｄ，２ｅ，２ｆ，２ｇ，２ｈは折線、３は吊下げ部、３１は吊下げ孔、４は保持部、４１は保持部上片、４２は保持部下片、４３は挿入穴、４ａは基部、ｗ４は保持部が外方に突出している長さ、５は受け部、５１は底片、５２は前片、５３は上片、５４は嵌入部、５ａは基部、ｗ５は受け部の外方に突出している長さ、Ｄは展示用台紙、Ｄ’は折り畳まれた展示用台紙、Ｓはシート、Ｎ１３、Ｎ１４は貼着部、Ｌは基部間の長さ、Ｈは展示用包装体、Ｇは円柱状容器に収納された商品、Ｔは接着テープをそれぞれ示す。
【００１８】
図１は本発明に係る縦長容器に収納された商品の展示用台紙の一実施形態を示す展開図であり、図２の（イ）は本発明に係る展示用台紙の折り畳まれた状態の一例を示す側面図、（ロ）組み立てた状態の一例を示す組み立て図である。図１に示すように本発明の展示用台紙は、一枚の縦長のシートＳからなり、一方の端（図１の上）から他方の端（図１の下）に向かって、小片１５、保持部下片４２、保持部上片４１、上表背面片１３、裏背面片１１、底片５１、前片５２、上片５３および下表背面片１４が折線２ａ、２ｂ、２ｃ、２ｄ、２ｅ、２ｆ、２ｇ、２ｈを介して連接されている。なお、本発明に係る縦長容器に収納された商品の展示用台紙の一実施形態は、縦長容器として円柱状容器を用いた場合を例として説明することとする。
【００１９】
保持部４を構成する保持部下片４２、保持部上片４１には商品の円柱状容器を挿入してその上部保持するための挿入穴４３がそれぞれ形成されている。挿入穴４３は円柱状容器の横断面形状に合わせて円状や楕円状に形成される。挿入穴４３の大きさは円柱状容器の外径と同じか、やや大きくする。通常円柱状容器の外径に対して０ｍｍ〜３．０ｍｍが好ましく、０ｍｍ〜２ｍｍがより好ましい。３ｍｍを超えると円柱状容器の位置ズレが最大３ｍｍを超えるので陳列された商品を側面から見た場合、円柱状容器に収納された商品の整列感がなく陳列効果が劣ることがある。挿入穴４３の形成位置は、挿入穴４３の一端が折線２ｂより５〜８ｍｍ後退させ、他端が折線２ａまたは２ｃと共有するように折線２ｂに対して上下対称に形成することが好ましい。５ｍｍ未満になると折線２ｂで保持部下片４２、保持部上片４１を折り曲げるとき、折り皺が発生しやすく、８ｍｍを超えると展示用包装体として陳列したとき広い展示スペースが必要となるので展示効率が劣る。また、保持部下片４２の挿入穴４３は弓状でその割線が折線２ａと重なり、保持部上片４１の挿入穴４３は弓状でその割線が折線２ｃと重なっている。このような構成とすることにより小片１５及び上表背面片１３を折線２ａ、２ｃで折り曲げたとき折り皺が発生することなくスムーズに折り曲げられる。また挿入穴４３と割線との交点、すなわち挿入穴４３の外郭線と折線２ａとの交点において、その交点近傍の挿入穴４３の外郭線が相互にＵ字状に突出していることがより好ましく、より折り曲げ性が向上する。図１の円内に当該部分の拡大図を示す。同様に挿入穴４３の外郭線と折線２ｃとの交点においてもその交点近傍の挿入穴４３の外郭線が相互にＵ字状に突出していることがより好ましい。
【００２０】
上表背面片１３、及び裏背面片１１の折線２ｄの近傍に折線２ｄに対して上下対称に吊下げ孔３１が形成されている。吊下げ孔３１は左右方向の中央に形成するとよい。裏背面片１１の折線２ｅの近傍の左右方向の中央部に開口部１１ａが設けられている。開口部１１ａは矩形状に設けられており矩形状の開口部１１ａの一辺が折線２ｅと重なり共有されている。開口部１１ａは円柱状容器に収納された商品と展示用台紙とを開口部１１ａを介して接着テープ等により固定するために設けるものであり、目的を逸脱しない範囲内であれば形成位置、形状、大きさは適宜設けることができる。形成位置については裏背面片１１の下部が好ましく、図１に示すように開口部１１ａの一辺が折線２ｅと共有するように設ける方が折線２ｅでの折り曲げ適性、接着テープの経済性の点で特に好ましい。なお、吊下げ部３は吊下げ孔３１に限定されるものではなく、鉤型形状、あるいは吊下げ具で形成することもできる。
【００２１】
受け部５の上部を構成する上片５３には、商品の円柱状容器の下端が嵌入される嵌入部５４が略円形状に形成されている。嵌入部５４は円柱状容器の横断面形状に合わせて円状や楕円状に開口部として形成される。嵌入部５４の大きさは円柱状容器の外径と同じか、やや大きくする。通常円柱状容器の外径に対して０ｍｍ〜３．０ｍｍが好ましく、０ｍｍ〜２ｍｍがより好ましい。３ｍｍを超えると円柱状容器の位置ズレが最大３ｍｍを超えるので陳列された商品を側面から見た場合、円柱状容器に収納された商品の整列感がなく陳列効果が劣ることがある。また、嵌入部５４の対向する両端は折線２ｇ、２ｈでそれぞれ重なり折線２ｇ、２ｈで上下の円弧が切り取られ上下に弦を備えた形状を有している。また嵌入部５４の外郭線と折線２ｇとのそれぞれの交点、及び嵌入部５４の外郭線と折線２ｈとのそれぞれの交点において、その交点近傍の嵌入部５４の外郭線が折線２ｇ近傍、及び２ｈ近傍で相互にＵ字状に突出している構成が好ましい。すなわち、挿入穴４３の外郭線と折線２ａとの交点において図１の円内に示した構成と同じである。
【００２２】
さらに、裏背面片１１の吊下げ孔３１と開口部１１ａとの間において、吊下げ孔３１側に貼着部Ｎ１３及び開口部１１ａ側に貼着部Ｎ１４が、折線２ｄ及び折線２ｅに沿って設けられている。貼着部Ｎ１３は上表背面片１３を折線２ｄで折り曲げて裏背面片１１に重ねたとき、上表背面片１３の折線２ｃの近傍部分が裏背面片１１に接着される位置に設けるのが好ましい。また、貼着部Ｎ１４は下表背面片１４を裏背面片１１に重ねられたとき、下表背面片１４の折線２ｈの近傍部分が裏背面片１１に接着される位置に設けるのが好ましい。図１には貼着部Ｎ１３及び貼着部Ｎ１４が折線２ｄ及び折線２ｅに沿って帯状に連続して設けた例を示したが、必ずしも連続でなくてもよく、左右両端または左右両端乃至その間に適宜間隔をあけて不連続に設けてもよい。
【００２３】
折線２ａ〜２ｈには罫線を施すことが好ましい。山折りとなる折線には外観を損なわない押罫が好ましい。なぜなら、切罫と押罫を交互に設けたいわゆるリード罫やハーフカットやミシン目では山折りしたとき、紙の断層面が見えるので外観が低下する。谷折りとなる折線には外観低下が目立たないので押罫、リード罫、ハーフカット、ミシン目のいずれも設けることができるが、組み立て作業性の優れたリード罫が好ましい。図１において、折線２ａ、２ｃ、２ｈは谷折りとなるのでリード罫を設けている。折線２ｂ、２ｄ、２ｅ、２ｆ、２ｇは山折りとなるので押罫を設けている。
【００２４】
保持部４（図２参照）を形成する保持部上片４１及び保持部下片４２の上下方向の長さが、受け部５（図２参照）を形成する底片５１及び上片５３の上下方向の長さより長く形成されている。
【００２５】
図１に一枚のシートＳからなる展示用台紙を示したが、本発明の展示用台紙は、シートは一枚に限定されるものではなく、例えば、保持部または受け部を別シートで作製することもできる。しかし、一枚のシートで作製する方が、既存の製函機（サック貼り機）等で製造でき、しかも部品の管理がなくなるので管理が単純となるので好ましい。また、一枚のシートに対する各片の配置は、図１に限定されるものではなく、両端に裏背面片１１と上表背面片１３、または裏背面片１１と底片５１とすることもできる。この場合、小片は裏背面片１１に連接させるとよい。
【００２６】
本発明の展示用台紙に使用できるシートＳとしては、コートボール、ノーコートボール、カード紙、アイボリー、クラフトボール等のコート紙、ノーコート紙等の板紙が使用できる。坪量としては２００ｇ／ｍ2  〜５００ｇ／ｍ2 である。円柱状容器に収納された商品の重量、大きさ等により、紙の種類、坪量は適宜選定できる。また、展示用台紙の表面には通常印刷が施され、印刷表面には表面コートが施される。また、用途によっては、印刷表面にポリプロピレン、ポリエステル、スチレン、アクリル、塩化ビニル、ポリ乳酸等のプラスチックフィルムを貼り、いわゆるフィルム貼り構成にして表面の耐擦傷性、耐摩耗性等を向上させると共に意匠性を向上させ高級感を与えることもできる。フィルム貼り構成を採用する場合には、シートＳの総重量に対して板紙の重量が５０％を超えるようにして紙として分別廃棄できるよう設計する。
【００２７】
図２（イ）は本発明に係る展示用台紙の折り畳まれた状態の一例を示す側面図、図２（ロ）は組み立てた状態の一例を示す組み立て図である。つぎに図１、図２を参照しながら本発明の展示用台紙Ｄの組み立て方を説明する。図１に示した一枚のシートＳからなるブランクを用いて、折線２ｆで山折りし前片５２、上片５３、下表背面片１４をシートの状態で底片５１および裏背面片１１の上に重ね、下裏背面片１１に設けられた貼着部Ｎ１４と下表背面片１４を接着剤を介して二つ折り状態にて接着する。
【００２８】
つぎに折線２ｄで山折りし上表背面片１３、保持部上片４１、保持部下片４２、小片１５をシートの状態で裏背面片１１及び二つ折りされた下表背面片１４、上片５３、前片５２からなるシートの上に重ね、下裏背面片１１に設けられた貼着部Ｎ１３と上表背面片１４を接着剤を介して二つ折り状態にて接着する。そして図２（イ）に示すように下表背面片１４の上下方向の端辺と折線２ｃが近接して三つ折りされて折り畳まれている。図２（イ）に示す折り畳まれた展示用台紙Ｄ’は既存のサック貼り機を用いて製函できる。接着剤としては通常サック貼り機で使用されるエマルジョンタイプ接着剤等を用いるとよい。
本発明の展示用台紙は折り畳んだ状態にて段ボール箱等に効率よく収納でき、保管スペースが少なくてすむ。また、展示用台紙の組み立て及び組み立てた展示用台紙Ｄに円柱状容器に収納された商品をセットアップする場所まで輸送する際、嵩張ることがなく、輸送効率がよい。
なお、本発明の一実施形態の展示用台紙Ｄは、背面片１（図４参照）は、裏背面片１１と表背面片１２で構成されており、表背面片１２は上表背面片１３と下表背面片１４で構成されているものである。
【００２９】
図２を参照しながら折り畳まれた展示用台紙Ｄ’の組み立て方を説明する。
まず、裏背面片１１及び二つ折りされた下表背面片１４、上片５３、前片５２からなるシートの上に重ねられた上表背面片１３、保持部上片４１、保持部下片４２、小片１５からなるシートを折線２ｃで谷折りし、つぎに折線２ｂで山折りし保持部上片４１と保持部下片４２を折り曲げて重合し、さらに折線２ａで谷折りし、小片１５を裏背面片１１に重ね、裏背面片１１および上表背面片１３より外方に突出した保持部４を形成する。この時点では上表背面片１３は裏背面片１１に重ねられて固定されているが、保持部４は固定されていないので自由である。また、上表背面片１３と裏背面片１１は折り曲げて重合されたとき、それぞれの吊下げ孔３１の位置は相互に一致している。また、保持部上片４１と保持部下片４２も折り曲げて重合されたとき、それぞれの挿入穴４３の位置は相互に一致している。
【００３０】
つぎに、底片５１及び裏背面片１１及び該片の上に重ねられた前片５２、上片５３、下表背面片１４からなるシートについて、底片５１の山折りされた折線２ｆ近傍を保持部４の方向に押し上げると折線２ｅで山折りされ底片５１が裏背面片１１より立ち上がり、下表背面片１４と裏背面片１１は貼着部Ｎで接着され固定されているので底片５１の立ち上がりに連動して、折線２ｇで山折りされ、折線２ｈで谷折りされ、裏背面片１１に連接された底片５１、前片５２、上片５３が起函し折線２ｅ、２ｆ、２ｇ、２ｈで折り曲げられてコの字状の受け部５を形成する。
【００３１】
最後に重合されている下表背面片１４の端部と裏背面片１１との間に小片１５を差し込んで保持部４が固定されることにより図２（ロ）に示す展示用台紙Ｄの組み立てが完成する。前記のように折り畳まれた展示用台紙Ｄ’を組み立てることにより完成した展示用台紙Ｄは、上部に展示用フックに吊下げられる吊下げ部３、下部に受け部５、及び吊下げ部３と受け部５の間に保持部４が形成された構成を備え、円柱状容器に収納された商品を展示用台紙に固定した展示用包装体として、吊下げ部３で吊って展示することもでき、また受け部を展示台の上に置いて展示することもでき、吊下げ性と自立性を有している。
【００３２】
また、本発明の展示用台紙は、保持部４が、コの字状の受け部５より外方に突出している構成にすることが好ましい。保持部４が外方に突出している長さｗ４の長さが受け部５の外方に突出している長さｗ５より長くすることにより、展示用包装体Ｈ（図３参照）として展示台に自立させて陳列したとき、陳列された展示用包装体Ｈを上に引っ張り中抜きしても保持部４が保持部４の基部４ａを支点として下方に曲がるので展示用包装体Ｈが容易に取り出すことができる。なおｗ４＞ｗ５を満足させるためには図１における保持部上片４１及び保持部下片４２の上下方向の長さが、底片５１及び上片５３の上下方向の長さより大きくなるように設定される。
【００３３】
また、図２（ロ）において下表背面片１４と上片５３が谷折りされた折線２ｈの部分を受け部５の一方の基部５ａとすると保持部４と受け部５の相互に対面する側の基部４ａと基部５ａとの間の基部間長さＬが、下表背面片１４の上下方向の長さと同じであることが好ましい。このような構成とすることにより、
保持部４の固定されずに自由となっていた側の小片１５が裏背面片１１と下表背面片１４の間に挟持される状態となり、この状態で組み上がった展示用台紙に円柱状容器に収納された商品Ｇを上部挿入穴４３と受け部上片５３の嵌入部５４に正しく想定された位置に入れると、円柱状容器に収納された商品Ｇの背面片側が下表背面片１４に当接することとなり、基部４ａが固定される。保持部下片４２が保持部上片４１に押し付けられているので当該片間の隙間が少なく外からシートＳの内面が見えることがない。又同様に裏背面片１１と下表背面片１４との隙間も少なくなり優れた外観が得られる。下表背面片１４の上下方向の長さは円柱状容器の上下方向の長さにより適宜決定すればよい。
【００３４】
図３は本発明に係る展示用台紙Ｄに縦長の円柱状容器に収納された商品Ｇが保持された展示用包装体Ｈの一実施形態を示す斜視図である。図４は本発明に係る展示用台紙Ｄに円柱状容器に収納された商品Ｇが保持された展示用包装体Ｈの一実施形態を示す平面図、正面図、背面図、側面図である。図３に示すように展示用台紙Ｄの保持部４の挿入穴４３に円柱状容器に収納された商品Ｇの下端より挿入し受け部５の嵌入部５４に下端を嵌入することにより円柱状容器に収納された商品Ｇが縦長に立てて載置される。
【００３５】
図４（ロ）背面図、（ニ）側面図に示すように載置された円柱状容器に収納された商品Ｇは、裏背面片１１の下部に設けた開口部１１ａより露出している。開口部１１ａから露出した部分から底片５１にかけて例えばセロテープ（登録商標）等の接着テープＴで円柱状容器に収納された商品Ｇが展示用台紙Ｄに固定されている。接着テープＴで固定することにより円柱状容器に収納された商品Ｇの回転防止や盗難防止が図れる。
【００３６】
図５は本発明に係る展示用台紙Ｄに縦長の円柱状容器に収納された商品Ｇが保持された展示用包装体Ｈのその他の実施形態を示す斜視図である。図５に示すように載置された円柱状容器に収納された商品Ｇは、例えばセロテープ（登録商標）等の接着テープＴで展示用台紙Ｄに固定されている。接着テープＴは透明であることが好ましく円柱状容器に収納された商品Ｇの下部から前片５２にかけて貼付されている。もちろん、接着テープＴは前片５２及び底片５１にかけて貼付してもよい。その他は一実施形態で示した展示用包装体Ｈと同じである。円柱状容器に収納された商品Ｇを正面で展示用台紙Ｄに固定するほうがより商品が安定する。なお、この場合、開口部１１ａは省略することもできる。
【００３７】
本発明の展示用台紙Ｄの背面片１は裏背面片と表背面片を重合して構成したので台紙に腰をもたすことができ、さらに一枚のシートを折り曲げてシートの対向する両端である小片１５と下表背面片１４の端部を重ね合わせる構成を採用することが好ましく、シートの裏面が見えることなく実質的に表面のみが見えるので図４（イ）、（ロ）、（ハ）に示すように展示用包装体Ｈの見栄えがよい。また、図４（イ）、（ニ）に示すように円柱状容器に収納された商品Ｇの露出度が大きいので消費者に安心感を与えるものとなる。また、円柱状容器を例に説明したが、形状は限定されるものではなく、横断面、楕円形や多角形、あるいは縦断面、楕円形や上部が先細るビール瓶形状でもよく、また、これらの組み合わせたものでもよく、本発明の縦長容器とは上記の形状の容器も含む。
なお、縦長容器に収納された商品とは縦長容器に収納された液体、固体、粘体、紛体等の日用雑貨品、食料品、文具等を含むことは勿論であるが、それ以外に例えば縦長容器の上部にスプレー可能な部品を具備した防虫剤スプレー、衣類用スプレー、消臭剤スプレー、清涼剤スプレー等も含むものである。
【符号の説明】
【００３８】
１                  背面片
１１                裏背面片
１１ａ              開口部
１２                表背面片
１３                上表背面片
１４                下表背面片
１５                小片
２ａ，２ｂ，２ｃ，２ｄ，２ｅ，２ｆ，２ｇ，２ｈ      折線
３                  吊下げ部
３１                吊下げ孔
４                  保持部
４１                保持部上片
４２                保持部下片
４３                挿入穴
４ａ                基部
ｗ４                保持部が外方に突出している長さ
５                  受け部
５１                底片
５２                前片
５３                上片
５４                嵌入部
５ａ                基部
ｗ５                受け部の外方に突出している長さ
Ｄ                  展示用台紙
Ｄ’                折り畳まれた展示用台紙
Ｓ                  シート
Ｎ１３、Ｎ１４      貼着部
Ｌ                  基部間の長さ
Ｈ                  展示用包装体
Ｇ                  円柱状容器に収納された商品
Ｔ                  接着テープ
【図１】
2015229511.tif 000003
【図２】
2015229511.tif 000004
【図３】
2015229511.tif 000005
【図４】
2015229511.tif 000006
【図５】
2015229511.tif 000007